(57)【要約】【課題】太陽光など他の強い光源がある状況下でも掲示用ディスプレイ装置を効果的に目立たせて人目を引き易くする。【解決手段】掲示用ディスプレイ装置の表示画面の近傍に取り付けて人目を引き易くするためのアイキャッチ用の照明装置１に、光源１０の外周を取り囲むように放射状に配列された複数の反射面３２ａを有する反射部材３０を設けた。反射面３２ａは、光源１０から離れるにつれて外側へ拡径するように傾斜する傾斜平面状になっている。反射部材３０は、鏡面状に加工され、反射面３２ａが光源１０を取り囲む花弁状となるように折り曲げ加工されたアルミニウム製の一枚の板材からなる。光源１０の周囲に配置した反射面３２ａの数だけ光源１０が増えたように見えるので、掲示用ディスプレイ装置の表示画面を効果的に目立たせて人目を引き易くすることができる。【選択図】図１
2010085624.tif 000002
【特許請求の範囲】
【請求項１】
掲示用ディスプレイ装置の表示部の近傍に取り付けて人目を引き易くするためのアイキ
ャッチ用の照明装置であって、
光源と、該光源の外周に設置した反射部材と、を備え、
前記反射部材は、前記光源の外周を取り囲むように放射状に配列された複数の反射面を
有しており、該反射面は、前記光源から離れるにつれて該光源に対して外側へ拡径するよ
うに傾斜する傾斜平面状である
ことを特徴とする照明装置。
【請求項２】
前記反射部材は、少なくとも前記反射面が鏡面状に加工されたアルミニウム製の部材で
ある
ことを特徴とする請求項１に記載の照明装置。
【請求項３】
前記アルミニウム製の部材は、前記反射面が前記光源の周囲に立設されて該光源を取り
囲む花弁状となるように折り曲げ加工された一枚の板材からなる
ことを特徴とする請求項２に記載の照明装置。
【請求項４】
前記反射部材が有する複数の反射面は、互いに隙間を有した状態で配列されている
ことを特徴とする請求項１乃至３のいずれかに記載の照明装置。
【請求項５】
前記反射部材を取り囲んで保持する保持部材を備え、該保持部材は、透明あるいは半透
明の樹脂材料からなる
ことを特徴とする請求項４に記載の照明装置。
【請求項６】
発光体により文字あるいは絵柄を表示するように構成された表示部を備える掲示用のデ
ィスプレイ装置であって、
前記表示部の近傍に請求項１乃至５のいずれかに記載の照明装置を取り付けた
ことを特徴とするディスプレイ装置。
【発明の詳細な説明】
【技術分野】
【０００１】
本発明は、屋内外に設置して文字等の表示にて広告や案内を行う掲示用のディスプレイ
装置に取り付けるアイキャッチ用の照明装置、および該照明装置を取り付けた掲示用のデ
ィスプレイ装置に関する。
【背景技術】
【０００２】
従来、例えば特許文献１に示すように、各種の発光体を備えて構成された表示画面（表
示部）を有してなる掲示用のディスプレイ装置（メッセージボード）がある。このような
ディスプレイ装置には、ＬＥＤ（発光ダイオード）を備えた表示画面を有するＬＥＤディ
スプレイを始めとして、液晶ディスプレイ、ＣＲＴディスプレイなど各種方式のものがあ
る。
【０００３】
この種のディスプレイ装置は、商業施設の顧客引き寄せ用の看板として用いたり、工事
現場で誘導用の掲示板として用いたりするので、文字や絵を表示する表示画面を目立たせ
て積極的に人目を引く必要がある。そのため、表示画面の周囲にいわゆるアイキャッチ用
の照明装置を取り付けたものがある。アイキャッチ用の照明装置は、表示画面の周囲に多
数が配列されており、表示画面よりも明るく点灯し、短い間隔で点滅したり、発光色が多
彩に切り替わったりすることで、表示画面を効果的に目立たせるようになっている。これ
により、人目を引き易くして、表示画面に表示された広告や案内に着目してもらうように
している。
【特許文献１】特開平１１−１６７３５９号公報
【発明の開示】
【発明が解決しようとする課題】
【０００４】
ところが、上記のようなディスプレイ装置を屋外に設置して太陽光の下で使用したり、
強い光を発する他の光源がある状況下で使用したりする場合、太陽光など強い光の影響で
、アイキャッチ用の照明が目立たなくなり、人目を引く効果が薄れてしまうという問題が
あった。なお、このような問題に対処するため、ディスプレイ装置に取り付けるアイキャ
ッチ用の照明装置の数を増やしたり、光源の容量を増加させたりすることが考えられる。
しかしながら、これらの手段では、ディスプレイ装置の構造が複雑化して製造コストが増
加する上に、消費電力が大きくなりランニングコストが増加するという問題がある。
【０００５】
本発明は上述の点に鑑みてなされたものでありその目的は、太陽光など他の強い光源が
ある状況下でも、掲示用のディスプレイ装置を効果的に目立たせて人目を引き易くするこ
とができるアイキャッチ用の照明装置を提供することにある。
【課題を解決するための手段】
【０００６】
上記課題を解決するため本発明は、掲示用ディスプレイ装置（７０）の表示部（７１）
の近傍に取り付けて人目を引き易くするためのアイキャッチ用の照明装置（１）であって
、光源（１０）と、該光源（１０）の外周に設置した反射部材（３０）と、を備え、反射
部材（３０）は、光源（１０）の外周を取り囲むように放射状に配列された複数の反射面
（３２ａ）を有しており、該反射面（３２ａ）は、光源（１０）から離れるにつれて該光
源（１０）に対して外側へ拡径するように傾斜する傾斜平面状であることを特徴とする。
なお、ここでの括弧内の符号は、後述する実施形態の対応する構成要素の符号を本発明の
一例として示したものである。
【０００７】
本発明にかかるアイキャッチ用の照明装置によれば、光源を取り囲むように複数の反射
面を配列したことで、本来の光源に対して、反射面の数だけさらに他の光源があるように
見せることができる。したがって、光源の数を増やして見せたり、光源を大きく見せたり
できる。これにより、太陽光など強い光の照射がある状況下でも人目を引き易くなるので
、この照明装置を取り付けた掲示用ディスプレイ装置を効果的に目立たせることができる
。
【０００８】
また、上記の照明装置では、反射部材（３０）は、少なくとも反射面（３２ａ）が鏡面
状に加工されたアルミニウム製の部材（３０）であるとよい。これによれば、光源の光を
反射面で効果的に反射させることができるので、光源の数を増やして見せたり、光源を大
きく見せたりすることが効果的に行える。さらに、この場合、アルミニウム製の部材（３
０）は、反射面（３２ａ）が光源（１０）の周囲に立設されて該光源（１０）を取り囲む
花弁状となるように折り曲げ加工された一枚の板材からなるとよい。これによれば、照明
装置の部品点数を少なく抑えて構成を簡単にすることができる。
【０００９】
また、上記の照明装置では、反射部材（３０）が有する複数の反射面（３２ａ）は、互
いに隙間（Ｆ）を有した状態で配列するとよい。これによれば、光源に対して正面以外の
方向から照明装置を見た場合でも、反射面の隙間から光源を直接視認することができる。
したがって、照明装置の視野角を広くすることができ、より人目を引き易くできる。また
この場合、透明あるいは半透明の樹脂材料からなる保持部材（６０）で反射部材（３０）
を取り囲んで保持するとよい。これによれば、光源から出た光のうち反射面で反射する以
外の光を保持部材に導くことができる。したがって、保持部材を介して照明装置の外部へ
光を放射できるので、さらに人目を引き易くできる。また、保持部材を光らせる作用もあ
るので、照明装置の全体を発光させる効果が得られ、照明装置を取り付けた掲示用ディス
プレイ装置をさらに目立たせることができる。また、照明装置あるいはディスプレイ装置
の美観も良好にすることができる。
【００１０】
また、本発明は、発光体（７１ａ）により文字あるいは絵柄を表示するように構成され
た表示部（７１）を備える掲示用のディスプレイ装置（７０）であって、表示部（７１）
の近傍に上記構成の照明装置（１）を取り付けたことを特徴とする。このディスプレイ装
置によれば、上記構成の照明装置によって、太陽光など強い光の照射がある状況下でも表
示部の表示を効果的に目立たせることができるので、人目を引き易くすることができる。
また、ディスプレイ装置の美観も良好にすることができる。
【発明の効果】
【００１１】
本発明にかかる照明装置およびディスプレイ装置によれば、ディスプレイ装置を太陽光
など他の強い光源がある状況下で使用する場合でも、表示部の表示を効果的に目立たせて
人目を引き易くすることができる。
【発明を実施するための最良の形態】
【００１２】
以下、添付図面を参照して本発明の実施形態を詳細に説明する。
〔第１実施形態〕
図１は、本発明の第１実施形態にかかる照明装置１を示す図で、（ａ）は、正面図、（
ｂ）は、（ａ）のＡ−Ａ矢視断面図、（ｃ）は、後述する反射部材３０を展開した状態を
示す図、（ｄ）は、反射部材３０の斜視図である。照明装置１は、光源１０と、該光源１
０の外周に設置した反射部材３０とを備えて構成されている。光源１０は、基板５１に実
装されたチップ状のパワーＬＥＤ（白色パワーＬＥＤ）、あるいはＲＧＢ３ｉｎ１チップ
ＬＥＤなどで構成された単一の発光体である。反射部材３０は、表面が鏡面状に加工され
たアルミニウム製の板材である。本実施形態では、反射部材３０は、正六角形の底部３１
と該底部３１の各辺に対応して該底部３１から放射状に突出形成された６枚の略矩形状の
花弁片３２とを有して形成されている。この反射部材３０は、６枚の花弁片３２が光源１
０の周囲に立設されて該光源１０を取り囲むように折り曲げ加工されている。すなわち、
反射部材３０の底部３１と各花弁片３２との境界を直線状に折り曲げて、底部３１を正六
角形に形成し、各花弁片３２を底部３１の外周を囲むように立設させている。花弁片３２
の折曲角度は、底部３１から離れるにつれて各花弁片３２が外方へ拡径するように、底部
３１に対して垂直（９０°）以上に開いた角度となっている。本実施形態では、底部３１
と花弁片３２とのなす内角が１２０°になるように折り曲げている。これにより、６枚の
花弁片３２で、光源１０の外周を取り囲むように放射状に配列された反射面３２ａが形成
されている。反射面３２ａは、光源１０から離れるにつれて外側へ拡径するように傾斜す
る傾斜平面状になっている。
【００１３】
反射部材３０の底部３１には、略矩形状の開口部３３が形成されている。開口部３３に
は、舌片状に突出する固定片３３ａが形成されている。反射部材３０は、基板５１に実装
された光源１０を開口部３３に配置した状態で、固定片３３ａが基板５１に設けた貫通孔
あるいは溝などからなる取付部５１ａに挿入されて固定されている。これにより、光源１
０の外周の基板５１上に反射部材３０の底部３１が固定され、該底部３１から延びる花弁
片３２が光源１０の外周に放射状に立設されて、すり鉢状に配置されている。
【００１４】
この照明装置１では、図１（ｂ）の矢印Ｌで示すように、光源１０からの光が反射面３
２ａで照明装置１の正面側へ反射するので、光源１０を点灯させた状態で照明装置１を正
面側から見ると、図１（ａ）に示すように、６個の反射面３２ａに光源１０の写像Ｍが写
った状態になる。これにより、本来の光源１０の周囲に放射状に擬似的な光源が配列され
て見える。したがって、光源１０の数を増やして見せたり、光源１０を大きく見せたりす
ることができる。このように構成したことで、太陽光など強い光の照射がある状況下でも
人目を引き易くなるので、照明装置１、および照明装置１を取り付ける掲示用のディスプ
レイ装置（図４に示す第３実施形態のディスプレイ装置７０）を効果的に目立たせること
ができる。
【００１５】
なお、本実施形態では、花弁片３２を底部３１とのなす内角が１２０°になるように折
り曲げている。この１２０°という折曲角度によれば、照明装置１を正面側から見たとき
、本来の光源１０の外周に配置される光源１０の写像（擬似的な光源）Ｍが、光源１０に
近い位置（反射面３２ａの底部３１に近い位置）に規則的に配列され、光源１０と写像M
の両方を最も効果的に目立たせることができる。したがって、照明装置１の発する光を明
るく且つ大きく見せる効果が高い。しかしながら、１２０°という折曲角度はあくまで一
例であり、反射面３２ａに写る光源１０の写像Mを照明装置１の正面側から見ることがで
きる角度であれば、花弁片３２の折曲角度は他の角度でもよい。
【００１６】
〔第２実施形態〕
次に、本発明の第２実施形態にかかる照明装置について説明する。なお、第２実施形態
の説明及び対応する図面においては、第１実施形態と同一又は相当する構成部分には同一
の符号を付し、以下ではその部分の詳細な説明は省略する。また、以下で説明する事項以
外の事項、及び図示する以外の事項については、第１実施形態と同じである。この点は、
他の実施形態においても同様である。
【００１７】
図２は、第２実施形態にかかる照明装置１−２を示す図で、（ａ）は、正面図、（ｂ）
は、後述する反射部材３０−２を取り付けた保持部材６０を示す背面図、（ｃ）は、（ａ
）のＢ−Ｂ矢視断面図、（ｄ）は、（ａ）のＣ−Ｃ矢視断面図である。本実施形態の照明
装置１−２は、複数枚（本実施形態では６枚）に分割された反射部材３０−２を備えると
ともに、６枚の反射部材３０−２を取り囲んで保持する保持部材６０を備えている。保持
部材６０は、外形が略円柱状の部材で、内部には、円柱軸方向の一方の端面６０ａから他
方の端面６０ｂに連通する収納部６１が設けられている。両端面６０ａ，６０ｂの開口６
２ａ，６２ｂは、いずれも正六角形状に形成されており、互いの径が異なっている。収納
部６１の内周面は、放射状に配列された六個の平面６１ａからなり、該収納部６１の径は
、小径の開口６２ｂから大径の開口６２ａに向かって次第に拡径している。したがって、
収納部６１の内周面はすり鉢状に形成されている。保持部材６０は、透明あるいは半透明
の合成樹脂材料からなる成型品であり、入射する光を透過させる光透過性を有している。
また、合成樹脂材料に光を拡散させる高輝度の粒子状材料などを混入しておけば、保持部
材６０に入射する光を多方向に拡散させることができる。このようにして、保持部材６０
に光拡散性を持たせてもよい。
【００１８】
反射部材３０−２は、第１実施形態の反射部材３０と同様、表面が鏡面状に加工された
アルミニウム製の板材である。６枚の反射部材３０−２はいずれも同形状で、略矩形状に
形成されており、収納部６１の内周の各平面６１ａに貼り付けられている。反射部材３０
−２の一端は、図２（ｂ）に示すように、収納部６１の開口６２ｂで保持部材６０の端面
６０ｂ側に折り曲げられている。折り曲げられた反射部材３０−２は、端面６０ｂに沿っ
て延びている。
【００１９】
反射部材３０−２を取り付けた保持部材６０は、図２（ｃ）、（ｄ）に示すように、光
源１０が実装された基板５１に取り付けられている。保持部材６０の端面６０ｂから突出
する固定ピン６３が反射部材３０−２を貫通して基板５１の下面側でカシメにより固定さ
れている。光源１０は、保持部材６０の開口６２ｂ内に配置されている。これにより、光
源１０の周囲にすり鉢状の収納部６１が配置され、そこに６枚の反射部材３０−２が花弁
状に配列されている。すなわち、第１実施形態と同様、反射面３２ａが光源１０の外周を
取り囲むように放射状に配列されており、該反射面３２ａは、光源１０から離れるにつれ
て外側へ拡径するように傾斜する傾斜平面状になっている。また、本実施形態においても
、反射面３２ａは、基板５１の表面とのなす内角が１２０°となるように設置されている
。
【００２０】
さらに、本実施形態では、隣接する反射面３２ａの間に隙間Ｆが設けられている。これ
により、図２（ａ）、（ｄ）の矢印Ｌ´で示すように、光源１０から反射面３２ａの隙間
Ｆに入射した光が、保持部材６０を透過して照明装置１−２の側方に放射される。したが
って、照明装置１−２を正面以外の角度から見た場合でも、光源１０の光を見ることがで
き、照明装置１−２の視野角が広がる。また、保持部材６０に入射した光が保持部材６０
の内部で拡散することにより、保持部材６０の全体が光って見えるようになる。これによ
り、照明装置１−２の全体を明るく光らせることができ、人目を引き易くできる。特に、
保持部材６０に光を拡散させる材料を混入して光拡散性を高めている場合は、保持部材６
０に入射する光が多方向に拡散するので、保持部材６０をさらに効果的に光らせることが
できる。
【００２１】
このように、本実施形態の照明装置１−２では、光源１０の外周に配置した反射面３２
ａで光源１０の数を増やして見せたり、光源１０を大きく見せたりできるうえ、保持部材
６０を介して光源１０の光を多方向から見えるようにできる。さらに、保持部材６０が光
ることで照明装置１−２の全体が発光したような状態になるので、花弁状の反射面３２ａ
と合わせて、照明装置１−２をいわゆる「光の花」あるいは「光の花飾り」のように演出
することができ、視覚的に優れたものとすることができる。
【００２２】
また、本実施形態では、略矩形状に形成された反射面３２ａの幅寸法を光源（ＬＥＤチ
ップ）１０の幅寸法と同程度とするとよい。これにより、光源１０から離れるにつれて外
側へ拡径するように傾斜する反射面３２ａの間に隙間Ｆが形成され、かつその隙間Ｆは、
光源１０から離れるほど幅寸法が大きくなる。したがって、隙間Ｆから保持部材６０に対
して多くの光を入射させることができる。
【００２３】
また、本実施形態では、反射部材３０−２を保持部材６０の端面６０ｂ側に折り曲げて
いる。この折り曲げた部分の保持部材６０は、図２（ｃ）に示すように、基板５１に対し
て面接触した状態になっている。この構造により、光源（ＬＥＤチップ）１０の発熱を基
板５１を介して反射部材３０−２に伝達することができる。したがって、アルミニウム製
の反射部材３０−２に光源１０の発熱を放出させる放熱フィンの役割を担わせることが可
能となる。特に、光源１０がパワーＬＥＤなどであれば発熱量が非常に多くなるが、その
場合でも、別途の放熱部材を設けることなく反射部材３０−２だけで光源１０の十分な冷
却効果が得られるようになる。したがって、照明装置１−２の部品点数を少なく抑えて構
成を簡単にでき、低コスト化を図ることができる。
【００２４】
〔第３実施形態〕
次に、本発明の第３実施形態にかかる照明装置について説明する。図３は、第３実施形
態にかかる照明装置１−３を示す図で、（ａ）は、正面図、（ｂ）は、（ａ）のＤ−Ｄ矢
視断面図である。本実施形態の照明装置１−３は、第２実施形態の照明装置１−２が備え
る保持部材６０と比較して、収納部６１−３の形状が異なる他の保持部材６０−３を備え
ている。それ以外の構成は、第２実施形態と同じである。本実施形態の保持部材６０−３
は、収納部６１−３の内周が複数の平面からなる単純なすり鉢状ではなく、隣接する反射
面３２ａの隙間Ｆが内側に向かって湾曲面状に隆起した突出部６４となっている。そして
、図３（ｂ）に示すように、隙間Ｆ（突出部６４）の表面の傾斜は、第２実施形態と比較
して、より垂直に近い角度になっている。すなわち、基板５１の表面と突出部６４の表面
とのなす内角が第２実施形態の１２０°よりも小さい角度になっている。
【００２５】
このように構成したことで、保持部材６０−３に入射する光の量を多くすることができ
る。したがって、隙間Ｆから照明装置１−３の側方に放射される光をより多くすることが
できる。さらに、保持部材６０−３をより明るく光らせることが可能となるので、照明装
置１−３の全体をより明るく光らせることができる。これらにより、照明装置１−３及び
掲示用のディスプレイ装置をより効果的に目立たせることができる。
【００２６】
〔第４実施形態〕
次に、本発明の第４実施形態にかかる照明装置について説明する。図４は、本発明の第
４実施形態にかかる照明装置１−４を示す図で、（ａ）は、正面図、（ｂ）は、（ａ）の
Ｇ−Ｇ矢視断面図、（ｃ）は、反射部材３０−４を展開した状態を示す図、（ｄ）は、反
射部材３０−４の斜視図である。本実施形態の照明装置１−４は、第１実施形態の反射部
材３０とは形状が異なる他の反射部材３０−４を備えている。その他の構成は、第１実施
形態の照明装置１と共通である。
【００２７】
すなわち、第１実施形態の反射部材３０では、隣接する花弁片３２が隙間無く配置され
ていたが、本実施形態の反射部材３０−４では、花弁片３２−４の幅寸法が狭くなってお
り、それにより、隣接する花弁片３２−４の間に隙間Ｆ´が形成されている。隙間Ｆ´は
、光源１０から離れるほど幅寸法が大きくなっている。このような隙間Ｆ´を設けたこと
で、第２実施形態の照明装置１−２と同様、光源１０から反射面３２ａの隙間に入射した
光が照明装置１−４の側方に放射されるようになるので、照明装置１−４の視野角を広く
することができる。
【００２８】
〔第５実施形態〕
次に、本発明の第５実施形態について説明する。図５は、第５実施形態にかかる掲示用
のディスプレイ装置を示す斜視図である。同図に示すディスプレイ装置７０は、多数の発
光体７１ａをマトリクス状に配列して構成された表示部（表示画面）７１を有している。
表示部７１の発光体７１ａは、ＬＥＤからなる発光体が好適であるが、他の種類の発光体
でもよい。このディスプレイ装置７０では、発光体７１ａの点灯、点滅などにより、表示
部７１に文字あるいは絵柄などを表示させることができる。
【００２９】
そして、このディスプレイ装置７０では、表示部７１の近傍に、アイキャッチ用の照明
として、第１実施形態の照明装置１を複数個（図では表示部７１の左右にそれぞれ４個ず
つ）並べて設置している。このように、照明装置１を表示部７１の近傍に取り付けたこと
で、太陽光など強い光の照射がある状況下でも、表示部７１の表示を効果的に目立たせて
人目を引き易くすることができる。また、表示部７１の周囲に照明装置１を配列すること
で、いわゆる「光の花飾り」を添える効果もあるので、ディスプレイ装置７０の美観を良
好にすることができる。なお、図５に示すディスプレイ装置７０は、第１実施形態の照明
装置１を取り付けたものであるが、これに代えて、第２実施形態の照明装置１−２、第３
実施形態の照明装置１−３、第４実施形態の照明装置１−４のいずれかを取り付けること
も可能である。また、ディスプレイ装置７０に取り付ける照明装置１の具体的な数や配置
は、図示するものには限定されない。
【００３０】
以上本発明の実施形態を説明したが、本発明は上記実施形態に限定されるものではなく
、特許請求の範囲、及び明細書と図面に記載された技術的思想の範囲内において種々の変
形が可能である。なお、直接明細書及び図面に記載のない何れの形状、構造、材質であっ
ても、本願発明の作用・効果を奏する以上、本願発明の技術的思想の範囲内である。
【００３１】
例えば、上記の各実施形態で示した反射面３２ａの数や形状や具体的な配置はあくまで
も一例であり、本発明の照明装置が備える反射面の構成は、これらに限定されるものでは
ない。また、上記の各実施形態では、照明装置１〜１−４の光源１０としてＬＥＤからな
る光源を用いた場合を説明したが、本発明にかかる照明装置は、ＬＥＤ以外で構成された
光源を備えていてもよい。また、光源の数は、１つには限らず、複数としてもよい。
【図面の簡単な説明】
【００３２】
【図１】本発明の第１実施形態にかかる照明装置を示す図で、（ａ）は、正面図、（ｂ）は、（ａ）のＡ−Ａ矢視断面図、（ｃ）は、反射部材を展開した状態を示す図、（ｄ）は、反射部材の斜視図である。
【図２】第２実施形態にかかる照明装置を示す図で、（ａ）は、正面図、（ｂ）は、保持部材を示す背面図、（ｃ）は、（ａ）のＢ−Ｂ矢視断面図、（ｄ）は、（ａ）のＣ−Ｃ矢視断面図である。
【図３】第３実施形態にかかる照明装置を示す図で、（ａ）は、正面図、（ｂ）は、（ａ）のＤ−Ｄ矢視断面図である。
【図４】本発明の第４実施形態にかかる照明装置を示す図で、（ａ）は、正面図、（ｂ）は、（ａ）のＧ−Ｇ矢視断面図、（ｃ）は、反射部材を展開した状態を示す図、（ｄ）は、反射部材の斜視図である。
【図５】本発明の第５実施形態にかかる掲示用のディスプレイ装置を示す斜視図である。
【符号の説明】
【００３３】
１，１−２，１−３，１−４  照明装置
１０  光源
３０  反射部材（アルミニウム製の部材）
３１  底部
３２  花弁片
３２ａ  反射面
３３  開口部
５１  基板
６０  保持部材
６１  収納部
７０  ディスプレイ装置
７１  表示部
７１ａ  発光体
【図１】
2010085624.tif 000003
【図２】
2010085624.tif 000004
【図３】
2010085624.tif 000005
【図４】
2010085624.tif 000006
【図５】
2010085624.tif 000007